(57)【要約】【課題】  折りたたんで積層した際、きれいに積み重ねることができ、後脚の上端にブロック体などの別部材を取り付ける必要がない折りたたみ椅子を提供する。【解決手段】  前脚１と後脚８は、該前脚１の後面に設けたスリット７に該後脚８の挿入端１２を差し込んで枢着されている。上記後脚８の後脚本体１０間の間隔Ｌ１は、上記前脚１間の間隔Ｌ２よりも広く形成されている。上記挿入端１２間の間隔は、上記前脚１のスリット７間の間隔Ｌ３とほぼ同じに形成されている。上記後脚本体１０の上端と上記挿入端１２は、弧状に湾曲する屈曲部２１で連結されている。【選択図】  図１
2010148770.tif 000002
【特許請求の範囲】
【請求項１】
両側に延びる前脚の後面にスリットを設け、後脚本体の先端に形成した挿入端を上記スリットに差し込んで後脚を折りたたみ可能に前脚に枢着した折りたたみ椅子において、両側に延びる上記後脚本体が上記前脚の側方に位置するように上記後脚本体間の間隔を上記前脚間の間隔よりも広く形成すると共に上記挿入端間の間隔が上記スリット間の間隔に対応するよう屈曲部を介して上記挿入端間の間隔を上記後脚本体間の間隔よりも狭く形成したことを特徴とする折りたたみ椅子。
【請求項２】
上記屈曲部は、折りたたんで積み重ねたとき上方に位置する折りたたみ椅子の前脚の外周面を受け入れるよう弧状に湾曲している請求項１に記載の折りたたみ椅子。
【請求項３】
上記後脚本体は上端に開口部を有する略Ｕ字状に設けられ、該後脚本体の開口部内にはロッドが摺動可能に挿入され、該ロッドの上端部に上記挿入端が形成されている請求項１又は請求項２に記載の折りたたみ椅子。
【請求項４】
上記後脚には、折りたたんで積み重ねたとき上方に位置する折りたたみ椅子の前脚を載置するよう該後脚の側面から突出する前脚載置部が設けられている請求項１ないし請求項３のいずれかに記載の折りたたみ椅子。
【発明の詳細な説明】
【技術分野】
【０００１】
本発明は、折りたたんだとき安定状態で積み重ね可能な折りたたみ椅子に関するものである。
【背景技術】
【０００２】
従来、前脚の後面に設けたスリットに後脚の先端に形成した挿入端を差し込んで後脚を折りたたみ可能に前脚に枢着した折りたたみ椅子が知られているが、上記前脚と上記後脚が同じ間隔に設けられているので、折りたたんだとき上記後脚は上記前脚の後面に沿って重ね合わせられる。そのため、積み重ねたときスタッキング位置が定まらず不安定であり、すっきりと積層することができなかった。そこで、後脚間の間隔を前脚間の間隔よりも広く設けて先端にブロック体（キャップ）を取り付け、このブロック体を上記前脚の側面に当てがって枢着軸で連結し、折りたたんだとき上記前脚の一部が上記後脚間に入り込むようにした折りたたみ椅子が知られている（例えば、特許文献１参照）。しかし、この折りたたみ椅子では、後脚の上端に別体のブロック体を取り付けると共にこのブロック体を前脚の側面に枢着しなければならないので、部品点数が増加し、組立も面倒になり、経済的に得ることができなかった。また、前脚と上記ブロック体を並列させて枢着軸（リベット）で連結しているから、着座したときの荷重が上記枢着軸の片側のみに集中して作用し、該枢着軸が曲がったり折損するおそれもあった。
【特許文献１】特開平９−６５９４９号公報（段落０００４、段落０００５、段落００１１、段落００１６、段落００１８、段落００２０、図面）
【発明の開示】
【発明が解決しようとする課題】
【０００３】
本発明が解決しようとする課題は、折りたたんで積層した際、きれいに積み重ねることができ、後脚の上端にブロック体などの別部材を取り付ける必要がなく、経済的に得ることができる折りたたみ椅子を提供することである。
【課題を解決するための手段】
【０００４】
本発明によれば、両側に延びる前脚の後面にスリットを設け、後脚本体の先端に形成した挿入端を上記スリットに差し込んで後脚を折りたたみ可能に前脚に枢着した折りたたみ椅子において、両側に延びる上記後脚本体が上記前脚の側方に位置するように上記後脚本体間の間隔を上記前脚間の間隔よりも広く形成すると共に上記挿入端間の間隔が上記スリット間の間隔に対応するよう屈曲部を介して上記挿入端間の間隔を上記後脚本体間の間隔よりも狭く形成したことを特徴とする折りたたみ椅子が提供され、上記課題が解決される。
【発明の効果】
【０００５】
本発明は、上記のように構成され、両側に延びる上記後脚本体が上記前脚の側方に位置するように上記後脚本体間の間隔を上記前脚間の間隔よりも広く形成すると共に上記挿入端間の間隔が上記スリット間の間隔に対応するよう屈曲部を介して上記挿入端間の間隔を上記後脚本体間の間隔よりも狭く形成したので、後脚の上端にブロック体などの別部材を設けなくても、直接的に後脚を折りたたみ可能に前脚に枢着することができ、折りたたんで積層すると上記前脚の一部が上記後脚本体間に入り込んでずれないようにすっきりと積み重ねることができる。また、ブロック体（キャップ）が不要になるから、部品点数が減少し、組立が簡略化され、経済的に得ることができる。さらに、上記挿入端は上記スリットに差し込んだ状態で上記前脚に枢着され、該挿入端は枢着軸のほぼ中間部で支持されるので、着座時にかかる荷重が分散され、枢着軸が曲がったり折損するおそれがなく、従来のようにブロック体などの別部材を介して後脚を前脚の側面に枢着する構成に比べて強度的に優れたものとなる。
【発明を実施するための最良の形態】
【０００６】
図１は本発明の一実施例を示し、前脚１は金属パイプ材料をほぼ矩形状に折り曲げて形成され、両側に延びる前脚１の下端には接床部２が設けられ、その上端には背もたれ３が形成されている。また、該前脚１の中間部には座部４を有する座枠５が枢着軸６で枢着され（図２及び図３）、その後面にはスリット７が設けられている（図２及び図４）。
【０００７】
上記前脚１の後面には、後脚８が枢着軸９で折りたたみ可能に枢着されている。
該後脚８は金属パイプ材料を略Ｕ字状に折り曲げて形成され、両側に延びる後脚本体１０の下端は接床部１１で連結され、該後脚８の上端には上記前脚１のスリット７に差し込むことができるよう略扁平板状に形成された挿入端１２が設けられている（図４）。
【０００８】
上記後脚８と上記前脚１を折りたたみ可能に連結する構成としては、従来のように適宜のリンク機構を用いて連結することもできるが（図示略）、図示するものでは、シリンダー機構を用いて連結している。すなわち、図２、図３に示すように、上記後脚８と座枠５をブラケット１３を介して枢着軸１４で枢着し、上記後脚本体１０の上端開口部１５には摺動可能にロッド１６を挿入してあり、該ロッド１６の先端には、図５に示すように、上記挿入端１２が形成されている。なお、該ロッド１６は、図３に示すように、上記上端開口部１５に設けた後脚ブッシュ１７に摺接しており、該後脚ブッシュ１７は、側面に形成した係止爪１８を上記後脚本体１０に設けた係止孔１９に係止させることにより、回り止め状態で固定されている。該後脚ブッシュ１７の内側面には、折りたたんで積み重ねたとき上方に位置する前脚を載置できるよう前脚載置部２０が突出形成されている。
【０００９】
上記のように、前脚１と後脚８は折りたたみ可能に連結されているが、図１、図２及び図４に示すように、上記後脚本体１０間の間隔Ｌ１は、該後脚本体１０が上記前脚１の側方に位置するように上記前脚１間の間隔Ｌ２よりも広く設けられている。また、上記挿入端１２間の間隔は、上記前脚１のスリット７間の間隔Ｌ３とほぼ同じに形成されている。そして、上記後脚本体１０と上記挿入端１２は、図４に示すように、弧状に湾曲する屈曲部２１で連結され、積み重ねたとき上方に位置する折りたたみ椅子の前脚外周面を受け入れるように形成されている。
【００１０】
上記の構成により前脚１、後脚８を折りたたむと、図６に示すように、上記後脚本体１０は前脚１の後面側方に位置し、両側の後脚本体１０間に上記前脚１の一部が入り込む（図２及び図６）。そして、この状態で積層すると、図６に示すように、上方に位置する椅子の前脚２は、下方に位置する椅子の後脚本体１０の内方に少し入り込んだ状態で載置され、左右のずれを防止してすっきりと積み重ねることができる。
【図面の簡単な説明】
【００１１】
【図１】本発明の一実施例を示す斜視図である。
【図２】折りたたんだ状態の背面図である。
【図３】折りたたみ状態の一部を拡大した斜視図である。
【図４】前脚、後脚の枢着部分を拡大して示す背面図である。
【図５】図４に示す枢着部分の斜視図である。
【図６】積み重ねた状態の説明図である。
【符号の説明】
【００１２】
１  前脚
５  座枠
６、９、１４  枢着軸
７  スリット
８  後脚
１０  後脚本体
１２  挿入端
１３  ブラケット
１６  ロッド
１７  後脚ブッシュ
２０  前脚載置部
２１  屈曲部
【図１】
2010148770.tif 000003
【図２】
2010148770.tif 000004
【図３】
2010148770.tif 000005
【図４】
2010148770.tif 000006
【図５】
2010148770.tif 000007
【図６】
2010148770.tif 000008